【手続補正書】
【提出日】平成18年1月23日(2006.1.23)
【手続補正１】
【補正対象書類名】明細書
【補正対象項目名】発明の名称
【補正方法】変更
【補正の内容】
【発明の名称】電子機器及びデータ処理方法
【手続補正２】
【補正対象書類名】明細書
【補正対象項目名】特許請求の範囲
【補正方法】変更
【補正の内容】
【特許請求の範囲】
【請求項１】  一般に公開された情報を用いて、第１の情報をディジタルデータに埋め込む第１の埋め込み手段と、
一般に公開されていない秘密の情報を用いて、前記第１の情報が改変されているか否かを検出するのに用いられる情報である第２の情報を前記ディジタルデータに埋め込む第２の埋め込み手段とを有することを特徴とする電子機器。
【請求項２】  前記第２の情報は、前記第１の情報が改変されているか否かを検出するのに用いられる情報であるだけでなく、前記第１の情報を復元するのに用いられる情報でもあることを特徴とする請求項１に記載の電子機器。
【請求項３】  前記第１の埋め込み手段は、前記第１の情報を前記ディジタルデータの第１の領域に埋め込み、前記第２の埋め込み手段は、前記第２の情報を前記ディジタルデータの第２の領域に埋め込むことを特徴とする請求項１または２に記載の電子機器。
【請求項４】  前記第１の埋め込み手段は、前記第１の情報を前記ディジタルデータに目に見えないように埋め込み、前記第２の埋め込み手段は、前記第２の情報を前記ディジタルデータに目に見えないように埋め込むことを特徴とする請求項１から３の何れかに記載の電子機器。
【請求項５】  前記第１の情報は、前記ディジタルデータの著作権に関する情報を含むことを特徴とする請求項１から４の何れかに記載の電子機器。
【請求項６】  一般に公開された情報を用いて、第１の情報をディジタルデータに埋め込む第１の埋め込みステップと、
一般に公開されていない秘密の情報を用いて、前記第１の情報が改変されているか否かを検出するのに用いられる情報である第２の情報を前記ディジタルデータに埋め込む第２の埋め込みステップとを有することを特徴とするデータ処理方法。
【請求項７】  前記第２の情報は、前記第１の情報が改変されているか否かを検出するのに用いられる情報であるだけでなく、前記第１の情報を復元するのに用いられる情報でもあることを特徴とする請求項６に記載のデータ処理方法。
【請求項８】  前記第１の埋め込みステップは、前記第１の情報を前記ディジタルデータの第１の領域に埋め込み、前記第２の埋め込みステップは、前記第２の情報を前記ディジタルデータの第２の領域に埋め込むことを特徴とする請求項６または７に記載のデータ処理方法。
【請求項９】  前記第１の埋め込みステップは、前記第１の情報を前記ディジタルデータに目に見えないように埋め込み、前記第２の埋め込みステップは、前記第２の情報を前記ディジタルデータに目に見えないように埋め込むことを特徴とする請求項６から８の何れかに記載のデータ処理方法。
【請求項１０】  前記第１の情報は、前記ディジタルデータの著作権に関する情報を含むことを特徴とする請求項６から９の何れかに記載のデータ処理方法。
【請求項１１】  一般に公開された情報を用いて、ディジタルデータに埋め込まれている第１の情報を前記ディジタルデータから抽出する第１の抽出手段と、
一般に公開されていない秘密の情報を用いて、前記ディジタルデータに埋め込まれている情報であり、前記第１の情報が改変されているか否かを検出するのに用いられる情報である第２の情報を前記ディジタルデータから抽出する第２の抽出手段とを有することを特徴とする電子機器。
【請求項１２】  前記第２の抽出手段において抽出された前記第２の情報を用いて、前記第１の抽出手段において抽出された前記第１の情報を復元する復元手段をさらに有することを特徴とする請求項１１に記載の電子機器。
【請求項１３】  前記第１の抽出手段は、前記ディジタルデータの第１の領域から前記第１の情報を抽出し、前記第２の抽出手段は、前記ディジタルデータの第２の領域から前記第２の情報を抽出することを特徴とする請求項１１または１２に記載の電子機器。
【請求項１４】  前記第１の抽出手段において抽出された前記第１の情報は、前記ディジタルデータに目に見えないように埋め込まれたものであり、前記第２の抽出手段において抽出された前記第２の情報は、前記ディジタルデータに目に見えないように埋め込まれたものであることを特徴とする請求項１１から１３の何れかに記載の電子機器。
【請求項１５】  前記第１の情報は、前記ディジタルデータの著作権に関する情報を含むことを特徴とする請求項１１から１４の何れかに記載の電子機器。
【請求項１６】  一般に公開された情報を用いて、ディジタルデータに埋め込まれている第１の情報を前記ディジタルデータから抽出する第１の抽出ステップと、
一般に公開されていない秘密の情報を用いて、前記ディジタルデータに埋め込まれている情報であり、前記第１の情報が改変されているか否かを検出するのに用いられる情報である第２の情報を前記ディジタルデータから抽出する第２の抽出ステップとを有することを特徴とするデータ処理方法。
【請求項１７】  前記第２の抽出ステップにおいて抽出された前記第２の情報を用いて、前記第１の抽出ステップにおいて抽出された前記第１の情報を復元する復元ステップをさらに有することを特徴とする請求項１６に記載のデータ処理方法。
【請求項１８】  前記第１の抽出ステップは、前記ディジタルデータの第１の領域から前記第１の情報を抽出し、前記第２の抽出ステップは、前記ディジタルデータの第２の領域から前記第２の情報を抽出することを特徴とする請求項１６または１７に記載のデータ処理方法。
【請求項１９】  前記第１の抽出ステップにおいて抽出された前記第１の情報は、前記ディジタルデータに目に見えないように埋め込まれたものであり、前記第２の抽出ステップにおいて抽出された前記第２の情報は、前記ディジタルデータに目に見えないように埋め込まれたものであることを特徴とする請求項１６から１８の何れかに記載のデータ処理方法。
【請求項２０】  前記第１の情報は、前記ディジタルデータの著作権に関する情報を含むことを特徴とする請求項１６から１９の何れかに記載のデータ処理方法。
【請求項２１】  請求項６から１０の何れかに記載のデータ処理方法をコンピュータに実行させるためのプログラムを記憶したことを特徴とするコンピュータ読み取り可能な記憶媒体。
【請求項２２】  請求項１６から２０の何れかに記載のデータ処理方法をコンピュータに実行させるためのプログラムを記憶したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、各種のディジタルデータの著作権の保護に関するものである。
【手続補正４】
【補正対象書類名】明細書
【補正対象項目名】００１１
【補正方法】変更
【補正の内容】
【００１１】
そこで、本発明は、一般のユーザによる自由な埋込情報の抽出を可能にする一方で、当該埋込情報が埋め込まれているディジタルデータの著作権の保護が可能な電子機器及びデータ処理方法を提供することを目的とする。
【手続補正５】
【補正対象書類名】明細書
【補正対象項目名】００１２
【補正方法】変更
【補正の内容】
【００１２】
【課題を解決するための手段】
本発明に係る電子機器の一つは、例えば、一般に公開された情報を用いて、第１の情報をディジタルデータに埋め込む第１の埋め込み手段と、一般に公開されていない秘密の情報を用いて、前記第１の情報が改変されているか否かを検出するのに用いられる情報である第２の情報を前記ディジタルデータに埋め込む第２の埋め込み手段とを有することを特徴とする。
【手続補正６】
【補正対象書類名】明細書
【補正対象項目名】００１３
【補正方法】変更
【補正の内容】
【００１３】
本発明に係るデータ処理方法の一つは、例えば、一般に公開された情報を用いて、第１の情報をディジタルデータに埋め込む第１の埋め込みステップと、一般に公開されていない秘密の情報を用いて、前記第１の情報が改変されているか否かを検出するのに用いられる情報である第２の情報を前記ディジタルデータに埋め込む第２の埋め込みステップとを有することを特徴とする。
【手続補正７】
【補正対象書類名】明細書
【補正対象項目名】００１４
【補正方法】変更
【補正の内容】
【００１４】
本発明に係る電子機器の一つは、例えば、一般に公開された情報を用いて、ディジタルデータに埋め込まれている第１の情報を前記ディジタルデータから抽出する第１の抽出手段と、一般に公開されていない秘密の情報を用いて、前記ディジタルデータに埋め込まれている情報であり、前記第１の情報が改変されているか否かを検出するのに用いられる情報である第２の情報を前記ディジタルデータから抽出する第２の抽出手段とを有することを特徴とする。
【手続補正８】
【補正対象書類名】明細書
【補正対象項目名】００１５
【補正方法】変更
【補正の内容】
【００１５】
本発明に係るデータ処理方法の一つは、例えば、一般に公開された情報を用いて、ディジタルデータに埋め込まれている第１の情報を前記ディジタルデータから抽出する第１の抽出ステップと、一般に公開されていない秘密の情報を用いて、前記ディジタルデータに埋め込まれている情報であり、前記第１の情報が改変されているか否かを検出するのに用いられる情報である第２の情報を前記ディジタルデータから抽出する第２の抽出ステップとを有することを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】０１３８
【補正方法】変更
【補正の内容】
【０１３８】
【発明の効果】
以上説明したように本発明によれば、一般のユーザによる自由な埋込情報の抽出を可能にする一方で、当該埋込情報が埋め込まれているディジタルデータの著作権の保護が可能な電子機器及びデータ処理方法を提供することができる。
【手続補正４１】
【補正対象書類名】明細書
【補正対象項目名】０１３９
【補正方法】削除
【補正の内容】
【手続補正４２】
【補正対象書類名】明細書
【補正対象項目名】０１４０
【補正方法】削除
【補正の内容】